(57)【要約】      （修正有）【課題】上部に原稿読取部、下部に画像形成部を有する画像形成装置において、事務机の上に画像形成装置を設置した場合でも原稿読取部に原稿を配置し及び取り出す作業が容易で、原稿読取部に設けられている操作パネルの操作も容易な画像形成装置を提供する。【解決手段】原稿読取部３は、画像形成部２の上部に案内機構を介して移動可能に配置され、画像形成部の上面にある上部カバーの開閉時には案内機構により画像形成部の上部の背面側の位置に移動配置され、原稿読取の実施時及び装置の設置移動時には案内機構により画像形成部の上部の略中央位置に移動配置される。【選択図】図１
2010093390.tif 000002
【特許請求の範囲】
【請求項１】
上面に開閉可能な上部カバーを有する画像形成部上に原稿読取部が配置されている画像形成装置において、
前記画像形成部上で前記原稿読取部を装置の背面側と正面側との間で移動させて位置決めするための案内機構を備えることを特徴とする画像形成装置。
【請求項２】
前記案内機構は前記画像形成部の上面両側に設けられている一対の案内壁と該各案内壁に形成される案内溝と、前記原稿読取部の両側から突出して前記各案内壁に係入する複数の突起とを含むことを特徴とする請求項１に記載の画像形成装置。
【請求項３】
前記案内機構は前記案内溝の一端に係入して前記原稿読取部の一側端に位置する背面側突起と、該突起を中心として前記原稿読取部を回動する際に他の突起を前記案内溝から外すための導入溝とを含むことを特徴とする請求項２に記載の画像形成装置。
【請求項４】
前記突起として前記原稿読取部から後退可能に突出する突起を含み、前記案内溝に形成されて前記突出する突起が突入するストッパー用凹所と、前記突入する突起を後退させるための後退操作手段とを含むことを特徴とする請求項２に記載の画像形成装置。
【発明の詳細な説明】
【技術分野】
【０００１】
本発明は、原稿読取部と画像形成部から構成される画像形成装置に関するものである。
【背景技術】
【０００２】
上部に原稿読取部、下部に画像形成部を有する画像形成装置において、上記画像形成部には、消耗品の交換やジャム処理を行うために上面に開閉可能な上部カバーが設けられている。そして消耗品の交換時等には原稿読取部を上方に持ち上げて傾斜した状態に保持させ、上部カバーを開閉している。
このため、原稿読取部は上部カバーの開閉に支障をきたさないように、装置の背面側で画像形成部上に持上げ可能に配置されている。
【特許文献１】特開２００５−５３６４８号公報
【発明の開示】
【発明が解決しようとする課題】
【０００３】
しかし、原稿読取部を上述したように画像形成部上に装置の背面側に配置すると、画像形成部の正面に対し原稿読取部の離間距離が大きくなるため、特にセカンドトレイや事務机の上に画像形成装置を設置した場合、原稿読取部に原稿を配置し及び取り出す作業が面倒になる上に、原稿読取部に設けられている操作パネルの操作も面倒になってしまう。
【課題を解決するための手段】
【０００４】
上述の課題を解決するために、本発明の画像形成装置の構成は、
上面に開閉可能な上部カバーを有する画像形成部上に原稿読取部が配置されている画像形成装置において、
上記画像形成部上で前記原稿読取部を装置の背面側と正面側との間で移動させて位置決めするための案内機構を備えることを特徴とする。
【０００５】
上記案内機構は上記画像形成部の上面両側に設けられている一対の案内壁と該各案内壁に形成される案内溝と、前記原稿読取部の両側から突出して前記各案内壁に係入する複数の突起とを含むことを特徴とする。
【０００６】
上記案内機構は上記案内溝の一端に係入して上記原稿読取部の一側端に位置する背面側突起と、該突起を中心として前記原稿読取部を回動する際に他の突起を前記案内溝から外すための導入溝とを含むことを特徴とする。
【発明の効果】
【０００７】
本発明によれば、原稿読取部を画像形成部上の略中央位置に移動可能に配置できるため、画像形成部の正面に対し原稿読取部の離間距離が近くなり、原稿の配置、取り出し作業が簡単となり、又原稿読取部の操作パネルの操作が容易となる。
【０００８】
一方、本発明によれば、原稿読取部を画像形成部上で装置の背面側に移動させることができるので、ジャム処理等のために画像形成部の上部カバーの開閉を行うことができる。
【発明を実施するための最良の形態】
【０００９】
以下、本発明に係る画像形成装置を図面を参照して説明する。
【実施例１】
【００１０】
図２は本発明の画像形成装置を示し、画像形成部２と原稿読取部３とを有している。
画像形成部２は給紙ユニット３７と該給紙ユニット３７から繰り出された媒体を搬送する搬送ローラ３８と、感光ドラムにトナー像を形成するためのイメージドラムユニット３２と、感光ドラム上のトナー画像を媒体に転写するための転写ベルトユニット３５と、媒体にトナー画像を定着させるための定着器３９と、定着処理後の媒体が排出されるスタッカー５とを備えている。
そして、画像形成部２は図３に示すように、上部に開閉可能な上部カバー６が設けられている。
【００１１】
原稿読取部３は、原稿２３を載置するための原稿台２４と、その下方に配されているスキャナー部２６と、原稿台２４に原稿２３を一枚毎に搬送すると共にスキャナー部２６により読取の終了した原稿を排紙部へ搬送する搬送ユニット２７とを備え、正面に操作パネル４が設けられている。
【００１２】
本発明に係る案内機構１０は、図１及び図３に示すように、画像形成部２の両側の上端に一体形成された一対の案内壁１１，１１を有している。案内壁１１は装置の背面２ａ側に位置し、水平方向に沿って案内溝１１ａが形成されている。案内溝１１ａの両端には斜め下方に向う位置決め溝端１１ｂ、１１ｃが形成されている。そして、案内壁１１の略中央には案内溝１１ａに連通する導入溝１２が形成されている。
【００１３】
また、本発明に係る案内機構１０は、図１に示すように、原稿読取部３の両側面の略中央で突出する中央係合突起１３と、両側面の背面側で突出する背面側突起１４とを有している。
【００１４】
以上の構成を有する案内機構１０において、図１に示すように、背面側突起１４を位置決め溝端１１ｂに係入させると共に、中央係合突起１３を案内溝１１ａの略中央位置で係入させると、原稿読取部３を画像形成部２上の背面側に位置決めすることができる。
【００１５】
そして、上部カバー６の開閉が必要になると、図４に示すように、中央係合突起１３を導入溝１２から外すように位置決め溝端１１ｂ内の背面側突起１４を中心として原稿読取部３を反時計方向に回動させる。これにより、上部カバー６の開閉が可能となる。
【００１６】
従って、画像形成部２において、ジャム処理を行ったり、イメージドラムユニット３２、トナーカートリッジ３３、転写ベルトユニット３５、定着器３９などの消耗品を交換することができる。
【００１７】
一方、原稿読取部３を図１に示す位置に案内した状態で、図５に示すように、原稿読取部３を若干持ち上げて背面側突起１４を位置決め溝端１１ｂから外し、かつ原稿読取部３を正面側に押すと、背面側突起１４及び中央係合突起１３が案内溝１１ａに係入していることから原稿読取部３が画像形成部２上で正面に向かって移動する。
【００１８】
そして、中央係合突起１３が位置決め溝端１１ｃに係入することで、原稿読取部３は移動が停止し、画像形成部２の中央で位置決めされる。
【００１９】
従って、原稿読取部３に対して原稿の配置及び取り除き作業が容易になり、又、操作パネル４も正面に近くなるのでその操作も容易であり、更に装置の重心が中央に位置するので装置の移動作業が簡単となる。
【実施例２】
【００２０】
本実施例に係る案内機構１０は、図６及び図７に示すように、画像形成部２の両側上端に形成されている一対の案内壁１１Ａ，１１Ａを有している。案内壁１１Ａには凹溝から成る案内溝１１ａが形成されている。案内溝１１ａの両端には斜め下方に向う位置決め凹所１１ｄ，１１ｅが形成されている。
【００２１】
また、案内溝１１ａの略中央にはストッパー用凹所１５が形成されている。そして、この凹所１５の上方位置には案内溝１１ａに連通する導入凹溝１６が形成されている。
【００２２】
一方、原稿読取部３側において、図８に示すように、本実施例の案内機構１０は、下面の両側に一対の被案内壁１７、１７が設けられている。被案内壁１７の背面側には背面側突起１４’が設けられ、その略中央には貫通孔１８が形成されている。
【００２３】
また、被案内壁１７の内側には矩形状の凹部１７ａが形成され、この凹部１７ａの貫通孔１８の近傍位置には台形状のガイド突起１９が一体的に形成されている。
【００２４】
更に、被案内壁１７、１７の凹部１７ａ、１７ａにはコ字状の操作部２０のアーム部２０Ａ，２０Ａが係入されている。アーム部２０Ａの端部には被案内壁１７の貫通孔１８に貫挿される中央係合突起１３Ａと、上記ガイド突起１９が係入される角穴２０Ｂとが設けられている。
【００２５】
操作部２０は可撓性の大きいプラスチック材から形成され、原稿読取部３の正面側にレバー２０Ｃが一体形成されている。
【００２６】
操作部２０のアーム部２０Ａ，２０Ａが被案内壁１７に係入された状態では、図８乃至図１０に示すように、中央係合突起１３Ａが貫通孔１８に貫挿されて被案内壁１７から突出し、また角穴２０Ｂにガイド突起１９が係入している。
【００２７】
そして、原稿読取部３を画像形成部２上の背面側に配置した状態では、背面側突起１４’は案内壁１１Ａの位置決め凹所１１ｄに突入され、中央係合突起１３Ａは案内壁１１Ａのストッパー用凹所１５に突入されている。
【００２８】
従って、この状態は背面側突起１４’を中心として原稿読取部３を反時計方向に回動することは不可能であり、又原稿読取部３を画像形成部２上の背面側に固定的に保持することができる。
【００２９】
これに対し、レバー２０Ｃを引いてアーム部２０Ａ，２０Ａに張力を加えると、該アーム部が可撓性を有するため大きく変形しつつ長さ方向に移動するので、図１１に示すようにガイド突起１９の端面に沿って角穴２０Ｂが外れる方向にアーム部２０Ａが変位し、即ち、被案内壁１７の内側面から離間する方向に変位する。
【００３０】
これにより、中央係合突起１３Ａが案内壁１１Ａのストッパー用凹所１５から外れるので、該中央係合突起１３Ａを導入凹溝１６から外れるように案内して原稿読取部３を反時計方向に回動することができる。従って、画像形成部２の上部カバー６を開閉することができる。
【００３１】
また、上記したように、中央係合突起１３Ａをストッパー用凹所１５から外した状態において、原稿読取部３を持ち上げて背面側突起１４’を位置決め凹所１１ｄから外し、原稿読取部３にレバー２０Ｃを介して正面側に向う引張力を加えると、原稿読取部３の移動に伴って後退している中央係合突起１３Ａが案内溝１１ａに案内されて位置決め凹所１１ｅに係入し、かつレバー２０Ｃからの張力付与を停止すると、中央係合突起１３Ａが突出して該凹所１１ｅに突入する。
【００３２】
従って、原稿読取部３を画像形成部２の中央に位置決めして固定的に保持することができる。これにより、画像形成装置の移動配置時に原稿読取部３が不要に移動変位するのを防止できるので、移動作業が更に簡単になる。
【００３３】
尚、画像形成部２に中央係合突起１３、（１３Ａ），  背面側突起１４’を設け、原稿読取部３に案内壁１１Ａ、（１１Ａ）及び案内溝１１ａ等を設けるようにしてもよい。
【００３４】
また、案内機構１０として、画像形成部２上の両側に案内レールを設け、原稿読取部３に案内レールに係合する車輪を設ける構成にしてもよい。
【００３５】
更に、案内壁に設ける案内溝を水平方向に対し角度を設けて斜めに形成することもでき、これにより原稿読取部３の移動変位をちいさな押圧力で行うことができる。
また、突起１３、（１３Ａ）、１４、１４’を車輪等の回転体から形成してもよい。
【実施例３】
【００３６】
本実施例に係る案内機構１０は、図１６に示すように、画像形成部２の両側上端に形成されている一対の案内壁１１Ｂ，１１Ｂを有している。案内壁１１Ｂには凹溝から成る案内溝１１ａが形成されている。案内溝１１ａの両端には斜め下方に向う位置決め凹所１１ｄ’，１１ｅが形成されている。
位置決め凹所１１ｄ’は、図１６に示すように、角状の凹所から形成されている。
【００３７】
一方、原稿読取部３側において、図１２に示すように、本実施例の案内機構１０は、下面の両側に一対の被案内壁１７、１７が設けられている。被案内壁１７の略中央には中央係合突起１３’が設けられ、被案内壁１７の背面側には正六角形の貫通孔１８’が形成されている。
【００３８】
被案内壁１７の凹部１７ａに係入されているアーム部２０Ａには、被案内壁１７の貫通孔１８’に貫挿される背面側突起１４Ａが設けられている。
【００３９】
本実施例の背面側突起１４Ａは上記貫通孔１８’の形状と対応する正六角形断面に形成されている。
【００４０】
操作部２０のアーム部２０Ａ，２０Ａが被案内壁１７に係入された状態では、図１２乃び図１３に示すように、背面側突起１４Ａが貫通孔１８’に貫挿されて被案内壁１７から突出している。
【００４１】
そして、原稿読取部３を画像形成部２上の背面側に配置した状態では、図１４に示すように、背面側突起１４Ａは案内壁１１Ｂの位置決め凹所１１ｄ’に突入されている。
【００４２】
従って、背面側突起１４Ａが位置決め凹所１１ｄ’に回動不能に嵌合されるので、該突起１４Ａを中心として原稿読取部３を反時計方向に回動することは不可能であり、又原稿読取部３を画像形成部２上の背面側に固定的に保持することができる。
【００４３】
これに対し、レバー２０Ｃを引いてアーム部２０Ａ，２０Ａに張力を加えると、該アーム部が可撓性を有するため大きく変形しつつ長さ方向に移動するので、図１５に示すようにガイド突起１９の端面に沿って角穴２０Ｂが外れる方向にアーム部２０Ａが変位し、即ち、被案内壁１７の内側面から離間する方向に変位する。
【００４４】
これにより、背面側突起１４Ａが案内壁１１Ｂの位置決め凹所１１ｄ’から外れるので、該中央係合突起１３’を導入凹溝１６から外れるように案内して原稿読取部３を反時計方向に回動することができる。
【００４５】
そして、所定角度まで回動させてレバー２０Ｃの張力の付与を停止すると、背面側突起１４Ａが突出して位置決め凹所１１ｄ’に突入し、回動不能に嵌合する。
従って、原稿読取部３を所望角度だけ回動させ、画像形成部２の上部カバー６を開閉することができる。
【００４６】
また、上記したように、背面側突起１４Ａを位置決め凹所１１ｄ’から外した状態において、原稿読取部３にレバー２０Ｃを介して正面側に向う引張力を加えると、原稿読取部３の移動に伴って後退している背面側突起１４Ａが案内溝１１ａに案内されてストッパー用凹所１５ａに係入し、かつレバー２０Ｃからの張力付与を停止すると背面側突起１４Ａが突出して該ストッパー用凹所１５ａに突入する。
【００４７】
なお、ストッパー用凹所１５ａの断面形状は背面側突起１４Ａと同じ正六角形でもよい。
【００４８】
また、背面側突起１４Ａを他の多角形に形成させ、位置決め凹所１１ｄ’を対応する角穴形状に形成してもよい。
【図面の簡単な説明】
【００４９】
【図１】実施例１の案内機構を備える画像形成装置の側面図
【図２】本発明の画像形成装置の主要部模式図
【図３】実施例１の画像形成部側の案内機構の一部の斜視図
【図４】本発明の案内機構により原稿読取部を回動させた状態を示す側面図
【図５】本発明の案内機構により原稿読取部を移動させて画像形成部上の中央位置に位置決めした状態を示す側面図
【図６】実施例２の案内機構の一部を示す斜視図
【図７】図６の要部の拡大斜視図
【図８】実施例２の案内機構の要部の斜視図
【図９】実施例２のアーム部と被案内壁との連結関係を示す図
【図１０】実施例２の案内機構の中央係合突起の突出状態を示す部分断面図
【図１１】実施例２の案内機構の中央係合突起の後退動作を示す部分断面図
【図１２】実施例３の案内機構の要部の斜視図
【図１３】実施例３のアーム部と被案内壁との連結関係を示す図
【図１４】実施例３の案内機構の背面側突起の突出状態を示す部分断面図
【図１５】実施例３の案内機構の背面側突起の後退動作を示す部分断面図
【図１６】実施例３の案内機構の要部の拡大斜視図
【符号の説明】
【００５０】
１画像形成装置
２画像形成部
３原稿読取部
４操作パネル
１０    案内機構
１１    案内壁
１１ａ  案内溝
１１ｂ  位置決め溝端
１１ｃ  位置決め溝端
１２    導入溝
１３    中央係合突起
１４    背面側突起
【図１】
2010093390.tif 000003
【図２】
2010093390.tif 000004
【図３】
2010093390.tif 000005
【図４】
2010093390.tif 000006
【図５】
2010093390.tif 000007
【図６】
2010093390.tif 000008
【図７】
2010093390.tif 000009
【図８】
2010093390.tif 000010
【図９】
2010093390.tif 000011
【図１０】
2010093390.tif 000012
【図１１】
2010093390.tif 000013
【図１２】
2010093390.tif 000014
【図１３】
2010093390.tif 000015
【図１４】
2010093390.tif 000016
【図１５】
2010093390.tif 000017
【図１６】
2010093390.tif 000018